(57)【要約】【課題】外観や使い勝手を損なうことなく構成部の位置や機能、使用上の注意等の認識が容易に行えるようにする。【解決手段】テーブルコンロ１において、器体２の表面に、左右のコンロ４，５の位置を識別する表示を有したシール２２，２４等を、対応する所定の表示１５よりも大きいサイズで形成して所定の表示１５の近傍に貼着した。【選択図】図１
2009150622.tif 000002
【特許請求の範囲】
【請求項１】
構成部の位置や機能、使用上の注意等に係る所定の表示を予め付した加熱調理器に貼着可能な複数のシールを、台紙上へ任意に剥離可能に備えた加熱調理器用シートであって、
前記各シールを、対応する前記所定の表示と同じ内容を示す第２の表示を有して前記所定の表示よりも大きいサイズとしたことを特徴とする加熱調理器用シート。
【請求項２】
前記所定の表示及び第２の表示が、前記加熱調理器が有する複数の加熱部及び各加熱部に対応する操作部の位置の識別に係るものであることを特徴とする請求項１に記載の加熱調理器用シート。
【請求項３】
前記所定の表示及び第２の表示が、前記加熱調理器における高温部位又は換気の注意喚起に係るものであることを特徴とする請求項１又は２に記載の加熱調理器用シート。
【請求項４】
構成部の位置や機能、使用上の注意等に係る所定の表示を予め付した加熱調理器であって、
請求項１乃至３の何れかに記載の加熱調理器用シートにおける所望のシールを、対応する前記所定の表示の上又はその近傍に貼着したことを特徴とする加熱調理器。
【発明の詳細な説明】
【技術分野】
【０００１】
本発明は、テーブルコンロ等の加熱調理器に用いられる加熱調理器用シートと、その加熱調理器用シートを用いた加熱調理器とに関する。
【背景技術】
【０００２】
例えばテーブルコンロでは、火力が異なるコンロ部とグリルといった複数の加熱部が設けられ、器体の正面には、点火ボタン等の複数の操作部が設けられている。よって、コンロ部やグリルとその点火ボタンとの対応関係が認識できるように、特許文献１に開示の如く、点火ボタンに、火力の違いやグリル用であることを示す所定の表示を付するようにしている。また、点火ボタンの対応関係以外にも、機能や使用上の注意等を示す所定の表示が付される場合もある。
しかし、当該表示は小さいため、高齢者や子供等には認識しにくく、使用しないコンロ部の点火ボタンを誤って操作したり、逆に消火させたいコンロ部と異なる他の点火ボタンを誤って操作したりする場合がある。そこで、特許文献２のように、操作部に開閉可能な操作カバーを設け、その操作カバーに、対応する加熱部を特定する大きな表示を設ける対策が考えられている。
【０００３】
【特許文献１】特開２０００−１９３２４８号公報（図１）
【特許文献２】特開平１１−１７３５５７号公報
【発明の開示】
【発明が解決しようとする課題】
【０００４】
しかし、高齢者向けに特定して操作カバーを設けたことで、テーブルコンロの外観が損なわれる上、操作部の操作の際には常に操作カバーの開閉操作が必要となるため、使い勝手が悪くなる。よって、一般のユーザーには購入や使用が忌避されるおそれがある。また、操作カバーの採用によるコストアップの問題も生じる。
【０００５】
そこで、本発明は、簡単な構成で、外観や使い勝手を損なうことなく構成部の位置や機能、使用上の注意等の認識が容易に行える加熱調理器用シート及び加熱調理器を提供することを目的としたものである。
【課題を解決するための手段】
【０００６】
上記目的を達成するために、請求項１に記載の発明は、構成部の位置や機能、使用上の注意等に係る所定の表示を予め付した加熱調理器に貼着可能な複数のシールを、台紙上へ任意に剥離可能に備えた加熱調理器用シートであって、各シールを、対応する所定の表示と同じ内容を示す第２の表示を有して所定の表示よりも大きいサイズとしたことを特徴とするものである。
請求項２に記載の発明は、請求項１の構成において、所定の表示及び第２の表示が、加熱調理器が有する複数の加熱部及び各加熱部に対応する操作部の位置の識別に係るものであることを特徴とするものである。
請求項３に記載の発明は、請求項１又は２の構成において、所定の表示及び第２の表示が、加熱調理器における高温部位又は換気の注意喚起に係るものであることを特徴とするものである。
上記目的を達成するために、請求項４に記載の発明は、構成部の位置や機能、使用上の注意等に係る所定の表示を予め付した加熱調理器であって、請求項１乃至３の何れかに記載の加熱調理器用シートにおける所望のシールを、対応する所定の表示の上又はその近傍に貼着したことを特徴とするものである。
【発明の効果】
【０００７】
本発明によれば、加熱調理器の構成部の位置、機能、使用上の注意等が高齢者等であっても明確且つ容易に認識できる。而も、必要な場合だけシールを貼着する簡単な構成であるため、加熱調理器の外観や使い勝手を損なうこともない。
【発明を実施するための最良の形態】
【０００８】
以下、本発明の実施の形態を図面に基づいて説明する。
図１は、加熱調理器の一例であるテーブルコンロの概略図で、テーブルコンロ１は、器体２の天板３に、バーナを備えた加熱部となる左コンロ４、右コンロ５を夫々備える一方、両コンロ４，５の間で器体２の内部に、グリル６を備えてなる。ここでは左コンロ４よりも右コンロ５の方が強火力となっている。７は天板３の後方に設けられたグリル６の排気口である。
また、器体２の正面でグリル６の左側には、操作部として左コンロ４の点火ボタン８及び火力調整レバー９が設けられる一方、グリル６の右側には、右コンロ５の点火ボタン１０及び火力調整レバー１１、グリル６の点火ボタン１２及び火力調整レバー１３が夫々設けられている。さらに、左コンロ４の点火ボタン８の左側には、電池収容ボックス１４が出し入れ可能に設けられている。
【０００９】
そして、各コンロ４，５及びグリル６の点火ボタン８，１０，１２の表面には、夫々火力の違い及びグリル用であることを示す所定の表示１５，１５・・が予め付されているが、さらにここでは、器体２の正面で各点火ボタン８，１０，１２の上方近傍位置に、所定の表示１５よりも大きなサイズで、第２の表示となる「左コンロ」「グリル」「右コンロ」と表示されたシール２２〜２４が貼着されている。また、天板３においても、左コンロ４及び右コンロ５の夫々の手前位置に、第２の表示となる「左コンロ」「右コンロ」と表示されたシール２２，２４が貼着されて、点火ボタン８，１０との対応関係を明確にしている。
【００１０】
このシール２２〜２４は、図２に示す加熱調理器用シート（以下単に「シート」という。）２０に設けられるものである。このシート２０は、台紙２１に複数のシール２２等を剥離可能に貼着した構成で、台紙２１から剥がすことで、裏面の接着面が露出されて器体２に貼着可能となっている。シート２０には、シール２２〜２４の他、グリル使用時の天板３の温度上昇について注意を喚起する「やけど注意」シール２５、室内の換気を促す「換気注意」シール２６、電池収容ボックス１４の位置と電池交換時期とについて注意を喚起する「ランプが点灯した時は電池を交換してください」とのシール２７が設けられている。また、「左コンロ」シール２２，「右コンロ」シール２４に代えて、「揚げもの用コンロ」シール２８、「強火力コンロ」シール２９も設けられている。これらも器体２に予め設けられる図示しない所定の表示よりも大きなサイズで形成されている。
【００１１】
つまり、このテーブルコンロ１は、上記シール２２〜２９が貼着されない状態で図２のシート２０とセットで販売されるものである。そして、ユーザーが高齢者等であって各コンロ４，５やグリル６と点火ボタン８等との対応関係、各コンロ４，５の位置等が認識しにくく、使い勝手が悪いと判断した際には、シート２０から所望のシールを剥がして、図１に示すように、各コンロ４，５やグリル６、点火ボタン８等の上又はその近傍に貼着することになる。なお、「やけど注意」シール２５は天板３の任意の位置に貼着され、「換気注意」シール２６も、天板３は勿論、図１のようにテーブルコンロ後方の壁面等に貼着してもよい。
【００１２】
このように上記形態のシート２０及びテーブルコンロ１によれば、シール２２等を、対応する所定の表示１５と同じ内容を示す第２の表示を有して所定の表示１５よりも大きいサイズとして、所定の表示１５の上又はその近傍に貼着したことで、各コンロ４，５やグリル６と点火ボタン８等との対応関係、各コンロ４，５の位置、機能、使用上の注意等が高齢者等であっても明確且つ容易に認識できる。而も、必要な場合だけシール２２等を貼着する簡単な構成であるため、テーブルコンロ１の外観や使い勝手を損なうこともない。
【００１３】
なお、シールに付する第２の表示や形状等は上記形態に限らず、テーブルコンロの所定の表示よりも大きいサイズで識別可能であれば、適宜変更可能である。よって、所定の表示と第２の表示とは厳密に一致させる必要はなく、上記形態の「左コンロ」と「揚げもの用コンロ」とのように、表現が異なっても意味内容が同じであればよい。
また、上記形態ではグリル付きのテーブルコンロで説明しているが、これに限らず、グリルのないテーブルコンロやコンロが３口タイプのもの、ビルトインコンロの他、単体のグリルやオーブン等の他の加熱調理器においても本発明は採用可能である。
【図面の簡単な説明】
【００１４】
【図１】テーブルコンロの概略図である。
【図２】加熱調理器用シートの説明図である。
【符号の説明】
【００１５】
１・・テーブルコンロ、２・・器体、３・・天板、４・・左コンロ、５・・右コンロ、６・・グリル、８，１０，１２・・点火ボタン、１４・・電池収容ボックス、１５・・所定の表示、２０・・加熱調理器用シート、２１・・台紙、２２〜２９・・シール。
【図１】
2009150622.tif 000003
【図２】
2009150622.tif 000004